(57)【要約】【課題】従来の軸流ファンは、ファンの内周部では空気が翼にほとんど沿わずに圧力面から離脱して下流に流れるため、翼からエネルギーが伝達されにくい。また、翼面に沿って流れないと吹き出し流れがファンの旋回方向を向きやすく、ファン下流に設置される防護グリルの桟やリブで気流が乱されて騒音が大きくなる課題があった。【解決手段】軸流ファン１０１は、回転軸に取付けられるハブ１の周面に複数の翼が設けられて、回転軸の回転により軸方向に送風する。軸流ファン１０１は、主翼５と補助翼６とが軸方向にずれた位置に配置される。補助翼６は主翼５よりも軸方向下流側に配置されて主翼５の後縁５２を覆う。補助翼６のファン径は主翼５のファン径より小さい。この軸流ファン１０１では、内周側の気流を主翼５に沿わせて気流へのエネルギー伝達を活発にするとともに、吹き出し気流を軸方向に向けてファングリルで発生する騒音を低減できる。【選択図】図１
2010216361.tif 000002
【特許請求の範囲】
【請求項１】
回転軸に取り付けられ、前記回転軸の回転によって前記回転軸の軸方向に気体を吹き出す軸流ファンにおいて、
前記回転軸に取り付けられるハブと、
前記ハブに設置された複数枚の主翼と、
前記複数枚の主翼の各主翼に１対１に対応して前記ハブに設置された前記主翼と同じ枚数の補助翼と
を備え、
前記補助翼は、
対応する前記主翼よりも軸方向の下流側にずれた位置に設置され、
対応する前記主翼と共に前記回転軸を法線とする平面に投影された場合には、前記補助翼の後縁が前記主翼の後縁と重なるか、あるいは前記主翼の後縁よりも逆回転方向に位置し、
前記補助翼のファン径が前記主翼のファン径よりも小さいことを特徴とする軸流ファン。
【請求項２】
前記主翼と、前記主翼に対応する前記補助翼とは、
翼間が前記主翼の後縁に向かうに従って狭くなることを特徴とする請求項１記載の軸流ファン。
【請求項３】
それぞれの前記補助翼は、
前傾角が、対応する前記主翼の前傾角よりも小さいことを特徴とする請求項１または２のいずれかに記載の軸流ファン。
【請求項４】
それぞれの前記補助翼は、
対応する前記主翼と共に前記回転軸を法線とする平面に投影された場合には、
ファン半径の大きい位置ほど前記補助翼の前縁と対応する前記主翼の前縁との間隔が大きいことを特徴とする請求項１〜３のいずれかに記載の軸流ファン。
【請求項５】
それぞれの前記補助翼は、
対応する前記主翼と共に前記回転軸を法線とする平面に投影された場合には、ファン径が、対応する主翼の前縁側から後縁側に向かうに従って大きくなることを特徴とする請求項１〜４記載の軸流ファン。
【請求項６】
回転軸に取り付けられ、前記回転軸の回転によって前記回転軸の軸方向に気体を吹き出す軸流ファンにおいて、
前記回転軸に取り付けられるハブと、
前記ハブの外周面に設置された複数枚の主翼と、
前記複数枚の主翼の各主翼に１対１に対応して前記ハブに設置されると共に、対応する前記主翼のファン半径の短い側を示す内周側を流れる気流を対応する前記主翼の圧力面に押さえつける前記複数枚の主翼と同じ枚数の補助翼と
を備えたことを特徴とする軸流ファン。
【請求項７】
請求項１〜６のいずれかに記載の軸流ファンを備えた空調機用の室外機。
【発明の詳細な説明】
【技術分野】
【０００１】
本発明は、軸流ファンおよびこれを用いた空気調和機の室外機に関するものである。
【背景技術】
【０００２】
図１３は従来の軸流ファンの構成図である。ボス１（ハブと呼ぶ場合もある）の周りに複数の翼２が取り付けられており、ボス１に取り付けられた軸が回転して吹出方向３へ風を発生させている。軸流ファンを用いた送風機では、回転する翼で手などをケガしないように吹き出し側に複数の桟やリブ４で構成されたファングリルや防護ネットを備えていることが多い。
【０００３】
送風機の省エネ（低入力化）を実現するためには送風機の効率を高めることが必要である。空気が翼間を流れる間にエネルギーを多く与えられれば、ファンの効率向上が期待できる。従来の軸流ファンの例をみると、主翼の間に補助翼を挟んで、翼の迎え角が大きくなることを防止して、はく離を抑制することや（特許文献１）、複数組の翼を軸方向にずれた位置に設け、回転方向に所定角度ずらして設ける例があり、多段の翼列で高効率化が期待できる（特許文献２）。
【先行技術文献】
【特許文献】
【０００４】
【特許文献１】特開平８−１７７７９２号公報
【特許文献２】特開平５−２４８３９５号公報
【発明の概要】
【発明が解決しようとする課題】
【０００５】
送風機や空調機に用いられる軸流ファンの効率を高くするためには、空気が翼面（圧力面）に沿って流れ、翼からのエネルギー伝達を多く受けることが必要である。従来のファンの外周部では、空気は翼表面に沿って流れるため、翼から空気へエネルギー伝達されやすい。しかし、ファンの内周部では空気が翼にほとんど沿わず、空気は圧力面からすぐに離脱して下流に流れるため、翼からエネルギーが伝達されにくい。また、空気が翼面に沿って流れないと吹き出し流れがファンの旋回方向を向きやすく、ファン下流に設置される防護グリル（ファングリル）の桟やリブで気流が乱れて騒音が大きくなる恐れがある。
【０００６】
特許文献１にあるように、主翼の間に補助翼を設けると、主翼の後縁では流れを圧力面に抑える効果が得られるが、内周側では前縁部でも剥がれやすく、下流に流れる気流を押さえつけきれず、翼から空気へのエネルギー伝達と吹き出し気流方向の制御は不十分である。また、内周側の主翼間が補助翼で塞がれているため、風量低下の恐れがある。
【０００７】
特許文献２にあるような主翼と小翼の配置では、圧力面内周部を流れる空気を面に押さえつけるものがないため、大きな効果は期待できない。また、内周側の翼間を塞ぐ構成になるため、風量低下の恐れがある。
【０００８】
この発明は、エネルギー効率がよく、騒音の小さい軸流ファンの提供を目的とする。
【課題を解決するための手段】
【０００９】
この発明の軸流ファンは、
回転軸に取り付けられ、前記回転軸の回転によって前記回転軸の軸方向に気体を吹き出す軸流ファンにおいて、
前記回転軸に取り付けられるハブと、
前記ハブに設置された複数枚の主翼と、
前記複数枚の主翼の各主翼に１対１に対応して前記ハブに設置された前記主翼と同じ枚数の補助翼と
を備え、
前記補助翼は、
対応する前記主翼よりも軸方向の下流側にずれた位置に設置され、対応する前記主翼と共に前記回転軸を法線とする平面に投影された場合には、前記補助翼の後縁が前記主翼の後縁と重なるか、あるいは前記主翼の後縁よりも逆回転方向に位置し、前記補助翼のファン径が前記主翼のファン径よりも小さいことを特徴とする。
【発明の効果】
【００１０】
この発明によれば、翼の内周部（ファン径の小さい側）の圧力面に入る空気は主翼と補助翼に囲まれた空間を流れるようになり、圧力面から離脱しなくなる。その結果、主翼の内周側でもエネルギー伝達が活発になるため内周翼の効率が向上する。また、翼に流れが沿うため吹き出し流れが回転軸の軸方向を向きやすくなるので、ファングリルの桟間を気流が滑らかに通過するため、騒音発生を抑制することができる。
【図面の簡単な説明】
【００１１】
【図１】実施の形態１における軸流ファン１０１を示す図。
【図２】実施の形態１の軸流ファン１０１と比較するための従来の軸流ファンの翼周りの流れ図。
【図３】実施の形態１で説明する従来のファンの吹き出し流れ方向の説明図。
【図４】実施の形態１における軸流ファン１０１の翼周りの流れ図。
【図５】実施の形態２における軸流ファン１０２を示す図。
【図６】実施の形態２における軸流ファン１０２の速度ベクトル図。
【図７】実施の形態３における軸流ファン１０３の線１９の投影を示す図。
【図８】実施の形態３における軸流ファン１０３の翼の前傾角を示す図。
【図９】実施の形態３における軸流ファン１０３の翼外周部の流れ図。
【図１０】実施の形態４における軸流ファン１０４を示す図。
【図１１】実施の形態５における軸流ファン１０５を示す図。
【図１２】実施の形態６における軸流ファン１０６を示す図。
【図１３】従来の軸流ファンを示す図。
【発明を実施するための形態】
【００１２】
実施の形態１．
図１〜図４を参照して実施の形態１の軸流ファン１０１を説明する。図１は、実施の形態１の軸流ファン１０１の斜視図（ａ）、正面図（ｂ）、翼間の側面図（ｃ）（翼は所定の半径の円筒側面で切った場合の断面を示した）を示す。図をわかりやすくするため、翼１枚分（１枚の主翼５と、この主翼５に対応する１枚の補助翼６）を示す。回転軸が取り付けられるボス１（ハブともいう）の周面に主翼５と補助翼６が取り付けられており、正面図（ｂ）に示すように、正面からみると、主翼５よりも補助翼６のファン径は小さく、補助翼６のファン径範囲では主翼５の後縁５２を覆う構成になっている。つまり、範囲５０では補助翼６の後縁６２が主翼５の後縁５２を覆っている。また、正面図（ｂ）でみた場合に補助翼６は、主翼５の内部に収まって配置されており、主翼５に隣り合う他の主翼の空間を塞がない構造である。側面図（ｃ）をみると主翼５の下流側に補助翼６が設置されており、主翼５と補助翼６で構成される翼間８は略一定幅になっている。
【００１３】
すなわち、図１に示すように、軸流ファン１０１は、回転軸（図示していない）に取り付けられ、この回転軸の回転によってファン回転軸１４の方向である吹出方向３に気体を吹き出す。軸流ファン１０１は、回転軸に取り付けられるボス１（ハブ）と、ハブに設置された複数枚の主翼５と、複数枚の主翼５の各主翼に１対１に対応してハブ１に設置された主翼と同じ枚数の補助翼６とを備える。図１では、主翼５には補助翼６が対応する。補助翼６は斜視図（ａ）、側面図（ｃ）等に示すように、主翼５よりもファン回転軸１４方向の下流側にずれた位置に設置される。また、補助翼６は、正面図（ａ）に示すように、主翼５と共にファン回転軸１４を法線とする平面に投影された場合には、補助翼６の後縁６２が主翼５の後縁５２と重なるか、あるいは主翼５の後縁５２よりも逆回転方向（回転方向３１と反対方向：正面図で左周り方向）に位置する形状である。また、補助翼６は、図１の正面図（ｂ）に示すように、補助翼６の一番大きいファン径でも、主翼５の最も小さいファン径よりも小さい。すなわち図１の正面図（ｂ）でみると、補助翼６は、外周（補助翼６の前縁６１、後縁６２を除いた補助翼６の周部分）は、主翼５の外周（主翼５の前縁５１、後縁５２を除いた主翼５の周部分）よりも内径側に位置する。
【００１４】
次に、動作について図２〜図４を用いて説明する。
【００１５】
（従来の流れ１）
図２は、従来のプロペラファンの翼２の周りの空気の流れを数値解析により観察した結果を模式的に斜視図（ａ）、側面図（ｂ）として示した図である。ファン外周側の気流９は、前縁２０１から後縁２０２にかけて翼面に沿って流れ、その間に翼２から気流９へエネルギーが供給される。しかし、側面図（ｂ）に示すように、ファン内周側の気流１０は後縁２０２に到達する前に下流に離脱する。ここでいう内周側、外周側とは、例えば図１の正面図（ｂ）において、ファン半径の大きい方（半径Ｒ２）を外周側と呼び、ファン半径の小さい方（半径Ｒ１）を内周側と呼んでいる。この離脱により、内周側を通過する空気には翼２からのエネルギーが十分に供給されないため、ファンの効率が悪い。なお、外周側気流９、内周側気流１０は、翼２から観測した相対流れを図示したものである。
【００１６】
（従来の流れ２）
次に、ファンの吹き出し流れ方向を図３により考える。吹き出し流速ベクトル１１（絶対速度ベクトル）は、相対速度ベクトル１２と翼の周速ベクトル１３で合成されたベクトルで表される。ファン回転方向は、斜線矢印３２（ファン回転軸１４に示した速度方向を示すベクトルを意味する）とする。この場合、図３（ａ）のように、翼２に沿った流れの場合（相対速度ベクトル１２ａ）は、吹き出し流れ方向１１ａがファン回転軸１４の方向を向く。これ対して、図３（ｂ）のように、翼２から離脱する流れの場合（相対速度ベクトル１２ｂ）は、吹き出し流れ方向１１ｂがファンの旋回方向よりに向く。すなわち、図３（ｂ）のように、翼２から離脱する流れの場合（相対速度ベクトル１２ｂ）は、「角度θ」が図３（ａ）の場合よりも小さくなる。従来のファンの内周側の流れは図３（ｂ）のような流れになっているため、吹き出し流速ベクトル１１が回転方向ベクトル３２を向きやすい。旋回成分が強くなると送風機などでファン下流部に設置されるファングリルの桟やリブ４に衝突した気流が乱れて、渦が発生して騒音が大きくなる課題があった。
【００１７】
（軸流ファン１０１での流れ）
図４は、実施の形態１の軸流ファン１０１の翼周りの流れの模式図（斜視図（ａ）と側面図（ｂ））を示す。ファン内周側の流れ１０は，主翼５と補助翼６の間に入るため、側面図（ｂ）に示すように、空気の流れが、主翼面から下流側に離脱しなくなる。よって気流への翼面からのエネルギー供給が活発に行われる。また、内周側の吹き出し相対速度ベクトル１２が主翼５に沿うため、吹き出し流速ベクトル１１の方向がファン回転軸１４の方向に近づく。このため、軸流ファン１０１の下流側に置かれるファングリルの桟を通過するときに気流が乱れにくくなり、騒音が低減する。なお、補助翼６の圧力面を流れる気流１５は翼面から離脱しやすい状態にあるが、翼長が短いためロスは小さく、補助翼６に主翼５と同様の対策をしてもファン全体として得る効果は小さい。
【００１８】
以上のように、実施の形態１では、回転軸に取付けられるハブ１の周面に複数の翼を設け、その回転により軸方向に送風する軸流ファンにおいて、主翼５と補助翼６が軸方向にずれた位置に配置され、補助翼６は主翼５よりも軸方向下流側にあって主翼５の後縁５２を覆い、補助翼６のファン径は主翼５のファン径より小さいことを特徴とする軸流ファン１０１を説明した。この軸流ファン１０１を用いることによって、翼が気流に与えるエネルギーを増加させてファン効率を向上できると共に、吹き出し流れをファン回転軸の方向に向けることができるので、ファングリルで発生する騒音を低減できる。また、補助翼６は主翼５と隣り合う他の主翼との翼間を塞ぐことはないため、風量低下を起こしにくい。
【００１９】
実施の形態２．
次に図５を用いて、実施の形態２の軸流ファン１０２を説明する。図５は、実施の形態２における軸流ファン１０２の斜視図（ａ）と翼断面図（ｂ）を示している。
【００２０】
翼断面図（ｂ）を参照して説明する。翼断面図（ｂ）では、翼間幅を同一半径の２次元翼断面の間に収まる円の径１６で規定している。すなわち、図５（ｂ）は、ファン回転軸１４を中心軸とする仮想円筒３３の側面で主翼５、補助翼６を切断した場合、断面において、その断面における主翼５と補助翼６との翼間が、主翼５の後縁に向かうに従って狭くなる。このように軸流ファン１０２は、主翼５の後縁に向かうほど円径（この円は、仮想円筒の側面に描かれた円である）が小さくなる（直径１６ａ＞直径１６ｂ）。つまり、主翼５の後縁に向かうに従って翼間が狭くなっている。
【００２１】
図２（ｂ）で述べたように、内周側で圧力面の気流は後縁ほど離脱しやすくなるため、主翼５の後縁５２に向かうに従って主翼５と補助翼６との翼間を狭くすることにより、圧力面に気流を押さえつける効果が大きくなり、翼からのエネルギーを空気により多く伝達させることができる。また、翼間が徐々に狭くなることにより吹き出し相対速度ベクトル１２が速くなる。すると、図６のような速度ベクトルの関係（相対速度ベクトル１２が長くなる）になるため、吹き出し流速ベクトル１１がさらに軸方向を向きやすくなる（角度θが大きくなる）。その結果、ファングリルの桟で乱れが発生しなくなる効果が強くなり、騒音をさらに低減することができる。
【００２２】
実施の形態３．
次に図７〜図９を参照して実施の形態３の軸流ファン１０３を説明する。軸流ファン１０３は、主翼５、補助翼６の前傾角に関する実施形態である。
【００２３】
まず図７（ａ）を参照して説明する。図７（ａ）は正面図である。
翼の前傾角を以下のように決める。
（１）まず、図７（ａ）の線１７を構成する一つの点３４は、次の点である。ファン回転軸１４を中心軸とする半径Ｒの仮想円筒３５の側面で３次元形状の翼（厚さはないと仮定）を切断した場合、円筒側面上に前縁と後縁とを結ぶ交線ができる。点３４は、その交線上の中央の点（交線上において交線両端からその点に向かう場合、両端からの距離が等しくなる点）である。線１７を構成する各点は、異なる半径Ｒの各仮想円筒に対して得られた中心（中央の位置）である。線１７は、これらの点を結んでできた線（翼弦線の中心線）である。線１７を円筒断面１８に回転投影したできた図７（ｂ）の線１９と、水平面２０とのなす角度２１で、翼の前傾角を表現する。次の（２）に詳しく説明する。
（２）翼の前傾角を、線１７を円筒断面１８に回転投影した図７（ｂ）の線１９と、水平面２０とのなす角度２１で表現する。ここで、図７（ａ）に示す円筒断面１８とは、正面図（ａ）でみた場合、ファン回転軸１４の方向に延びる平面であり、図７（ｃ）に示す円筒断面１８を意味している。そして、「線１７を、円筒断面１８に回転投影する」とは、図７の正面図（ａ）の線１７は３次元形状（つまり正面図（ａ）の法線方向に奥行きをもつ）であり、平面である円筒断面１８を固定しつつ、線１７の形成されたファンを回転させたときに、線１７が円筒断面１８に投影された線が線１９であることを意味する。
【００２４】
本実施の形態３における軸流ファン１０３の翼の前傾角を図８に示す（ただし、判りやすくするため、翼外形線を略して投影された線のみで説明する）。軸流ファン１０３は、投影線と水平線とのなす角２１（前傾角）が、主翼５と補助翼６で異なっていることを特徴としている。補助翼６の前傾角θ６の方が、主翼５の前傾角θ５よりも小さくなっていることが特徴である。これはファン半径が大きくなるほど、その半径位置での主翼５と補助翼６との翼間が広くなることを意味している。逆にいえば、ファン半径が小さくなるほど（内周側ほど）、その半径位置での主翼５と補助翼６との翼間が狭くなる。このように、ファンの内周側ほど主翼５から流れが離脱しやすいため翼間を狭くして流れを押さえつけることで、効率改善と吹き出し方向の制御を行う。
【００２５】
一方、外周側では図９のように補助翼６の外周端部から発生する漏れ渦２２と主翼５上の流れが干渉して風量低下や騒音発生を起こす恐れがあるため、翼間の距離を広げることを狙っている。この結果、補助翼ファン設置による悪影響を防ぎつつファン効率改善と吹き出し風向制御による騒音低減を実現することができる。
【００２６】
実施の形態４．
次に図１０を参照して、実施の形態４の軸流ファン１０４を説明する。図１０は、軸流ファン１０４の斜視図（ａ）と正面図（ｂ）とを示す。正面図（ｂ）に示すように、軸流ファン１０４は、正面図でみて、ファン半径の大きい位置ほど、補助翼６の前縁６１が、主翼５の同一径の前縁５１、後縁５２を結んだ周区間２４に対して相対的に後縁側に寄っていることを特徴としている。言い換えると、正面図（ｂ）でみた場合に、補助翼６の前縁６１は主翼５の前縁５１よりも主翼５の後縁５２よりに位置し、かつ、補助翼６の前縁６１と主翼５の前縁５１とは、ファン外周に向かいに従って互いに離れていく。また別の言い方をすれば、補助翼６は、主翼５と共にファン回転軸１４を法線とする平面に投影された場合には、ファン半径の大きい位置ほど、そのファン半径の円の周上における補助翼６の前縁６１と主翼５の前縁５１との距離が大きいことを特徴とする。
【００２７】
上記特徴は、主翼圧力面において翼から離脱しやすい場所だけを補助翼６でカバーする事例である。内周側の流れほど圧力面から早く離脱する傾向があるため、主翼前縁よりに補助翼６を設置してファン効率と気流方向の改善を行っている。逆に外周部では後縁付近まで離脱しにくいため、補助翼６は後縁寄りから設置されている。
【００２８】
この形状によると、実施の形態３よりも補助翼６の重量が減少するので、翼にかかるトルクの増加を抑制できる。その結果、ファンの効率をさらに改善できる。
【００２９】
実施の形態５．
次に図１１を参照して、実施の形態の軸流ファン１０５を説明する。図１１は、軸流ファン１０５の斜視図（ａ）と正面図（ｂ）を示す。軸流ファン１０５では、斜視図（ａ）に示すように、補助翼６は主翼５の下流側にある。そして、正面図（ｂ）でみた場合に、補助翼６のファン径２５が、主翼５の後縁側に向かうほど長くなっている。これは、翼圧力面を流れる気流が後縁、内周側ほど離脱しやすい点を考慮したものである。言い換えると、補助翼６は、主翼５と共にファン回転軸１４を法線とする平面に投影された場合には、補助翼６のファン径が、主翼５の前縁側から後縁側に向かうに従って大きくなる。
【００３０】
主翼５のファン径中間位置の前縁部では流れが翼面に沿うため、補助翼６で主翼５を覆わない。流れが離脱しやすい後縁付近からで補助翼６で主翼５を覆う構成にする。一方、内周側では、気流は前縁通過直後に剥がれるため、補助翼６で主翼全域を覆って翼にはり付かせる流れにする。
【００３１】
軸流ファン１０５の形状によれば、補助翼６の重量を低減することができるため、翼にかかるトルクを低減することができ、ファン効率をさらに上げることができる。
【００３２】
実施の形態６．
次に図１２を参照して実施の形態６の軸流ファン１０６を説明する。
図１２（ａ）は、斜視図を示す。
図１２（ｂ）は、正面図を示す。
図１２（ｃ）は、ファン回転軸を中心軸とする円筒の円筒側面で切断した翼断面を示す。
【００３３】
以上の実施の形態１〜実施の形態５の軸流ファンでは、図１の正面図（ｂ）に示すように、軸方向から見て、主翼５と補助翼６の後縁の形状は略一致した（重なっていた）。これに対して軸流ファン１０６では、正面図から見た場合、補助翼６の後縁６２は、主翼５の後縁５２よりも逆回転側にはみ出して主翼５の後縁５２を覆う領域２６（破線で示した範囲３６）を持っている。言い換えると、軸流ファン１０６の構成は、補助翼６が主翼５と共にファン回転軸を法線とする平面に投影された場合には、補助翼６は補助翼６の後縁６２が主翼５の後縁５２よりも逆回転方向に位置して、補助翼６の後縁６２を含む後縁領域が主翼５の後縁５２を含む後縁領域を覆う構成である。
【００３４】
軸流ファン１０６の構成は、主翼５の後縁端部まで仕事量を稼ぎたいときに有効な構成である。
【００３５】
後縁端部は翼面圧が最も高くなるため、この位置まで気流が翼に沿うことができれば、気流は、より大きなエネルギーを受けることができるが、流れが離脱しやすいことが課題であった。そこで、主翼５の後縁端部よりも下流側に補助翼６を延ばすことで主翼端部まで気流を張り付かせてエネルギーの吸収量を増やすことを狙う。補助翼６を延ばす長さは隣接する主翼間の円周区間２７の１／３以内として、主翼間を完全に塞がないようにして風量低下が起きないようにする。この結果、さらに高効率のファンを実現できる。また、翼に流れが沿うため、吹き出し流れが軸方向になりやすく、ファングリルでの騒音を減少させることができる。
【符号の説明】
【００３６】
１  ボス、２  翼、３  吹出方向、４  リブ、５  主翼、６  補助翼、８  主翼と補助翼との翼間、９  ファン外周側の気流、１０  ファン内周側の気流、１１  吹き出し流速ベクトル、１２  相対速度ベクトル、１３  翼の周速ベクトル、１４  ファン回転軸、１５  補助翼の圧力面を流れる気流、１６  径、１７  翼弦線の中心線、１８  円筒断面、１９  円筒断面１８に回転投影した線、２０  水平面、２１  前傾角、２２  漏れ渦、２４  主翼の前縁〜後縁を結んだ周区間、２５  補助翼のファン径、２６  後縁から逆回転側にはみ出す領域、２７  主翼間の円周区間、３１  回転方向、３２  回転方向ベクトル、３３  仮想円筒、３４  点、３５  仮想円筒、５０  範囲、５１  前縁、５２  後縁、６１  前縁、６２  後縁、１０１，１０２，１０３，１０４，１０５，１０６  軸流ファン。
【図１】
2010216361.tif 000003
【図２】
2010216361.tif 000004
【図３】
2010216361.tif 000005
【図４】
2010216361.tif 000006
【図５】
2010216361.tif 000007
【図６】
2010216361.tif 000008
【図７】
2010216361.tif 000009
【図８】
2010216361.tif 000010
【図９】
2010216361.tif 000011
【図１０】
2010216361.tif 000012
【図１１】
2010216361.tif 000013
【図１２】
2010216361.tif 000014
【図１３】
2010216361.tif 000015